(57)【要約】      （修正有）【課題】太陽光発電において、風雪などの外圧に耐えられる強い弾性のある、簡単で低価格且つ軽量のモジュールの構造およびアレイを提供する。【解決手段】矢を射ようとする力により弓がアーチ状に曲がりながらも、矢を射ようとする力に反発する力が発生して、弓が外圧に対して強固な状態で硬化する現象を、モジュール３の構造に取り入れたものであり、構造材である強い弾性を有する薄い板にセルを接合したモジュール３を弓のようにアーチ状に曲げ、モジュール３に反発力が発生してアーチ形に硬化している状態を保持するように、固定棒や結束ベルトなどの固定具４により固定する。【選択図】図３
2014022709.tif 000002
【特許請求の範囲】
【請求項１】
［図４］［図５］の如く、本発明は太陽光発電セル６と、モジュールの構造体である強い弾性を有する薄い板５を接合したもので、曲げに対して強い弾性のあるモジュールである。架台に設置するにあたっては弓のようにアーチ状に曲げるのであって［図２］［図３］、アーチ状に曲げてモジュールに強い反発力が発生して外圧に対して硬化している状態で架台に固定する［図６］ことにより、外圧に耐える強い強度を持つモジュールとなる、太陽光発電モジュール及びアレイ。
【発明の詳細な説明】
【技術分野】
【０００１】  本発明は安価な太陽光発電モジュールを実現するもので、モジュールに曲げる力に対して高い弾性を与えているもので、モジュールに与えられた強い弾性による反発力を利用することにより、極めて簡単な構造のモジュールが出来るもので、極めて低価格で且つ軽量のモジュールおよびアレイを実現したものである。
【背景技術】
【０００２】  太陽光発電においては、太陽光発電のセルを集合体にして、屋外での使用に耐えるように補強してパッケージ化したものをモジュールと称し、モジュールを複数枚並べて架台などに設置してアレイと呼んでいる。【０００３】  しかしながらこのモジュールにするための補強がモジュールの価格を押し上げる要因になっているのであり、太陽光発電コストの引き下げに関しての大きな問題点であり、安価なモジュールの実現は急務となっているのである。
【発明の概要】
【発明が解決しようとする課題】
【０００４】  本発明は、［図１］の例で示すように、武具でもある弓１で矢２を射る時に、弾性のある弓には矢を引く力に対して元の状態に戻ろうとする反発力が発生するが、この反発力によって生じる弓の硬化現象にヒントを得たものである。【０００５】  弓１で矢を射る時に、矢２を射ようとする力により、弓１がアーチ形に曲がりながらも、弓の持つ弾性により、矢２を射ようとする力に反発する力が弓に発生するもので、弓全体がアーチ形に曲がりながらも、反発力による硬化現象で張りつめた状態になり、弓が外圧に対して強固な状態になる現象を、モジュールの構造に取り入れたものである。【０００６】  これを図面で説明すると、［図４］［図５］は構造材である強い弾性を有する薄い板５に、セル６を接合することによって成る本発明の強い弾性のあるモジュール３である。［図２］［図３］は強い弾性のあるモジュール３に曲げる力を加えてアーチ形になっているのであり、加えられた曲げる力に対して強い反発力が発生している状態でもある。モジュール３は弾性による反発力で張りつめた状態になり、外圧に対して強固な状態で硬化しているのである。【０００７】  ［図３］はモジュールの裏面であり、強い弾性のあるモジュール３に反発力が発生してアーチ形に硬化している状態を保持するように、固定棒や結束ベルトなどの固定具４により固定していることを示すものである。反発力が発生して硬化している状態のモジュールのアーチが広がらないように固定することで、強い弾性のあるモジュール３は外圧に対して強固な構造になるのである。【０００８】  このように、強い弾性のあるモジュール３に、［図２］［図３］の如く弓のように曲げる力を与えて、曲げる力に対する反発力が発生して硬化している状態でモジュールのアーチが広がらないように固定具４で固定するだけという極めて単純な方法であっても、風雪にも耐える強固な構造のモジュールが出来るのである。
【課題を解決するための手段】
【０００９】  これを図面で説明すると、［図４］は強い弾性のあるモジュールの平面図であり、［図５］はモジュールの側面の一部を拡大したものであり、構造材である強い弾性を有する薄い板５に、セル６が接合していることを示したものである。【００１０】  単に薄い板［図４］［図５］の状態では構造的に弱く、風による振動なども発生しやすいため、モジュールとして外圧に耐える強度を持たせるには、何らかの補強が必要である。【００１１】  ［図２］［図３］は本発明の強い弾性のあるモジュール３であって、［図２］［図３］の如くモジュールがアーチ形に曲がるように、曲げる力が加えられているものである。アーチ形に曲がる力が加わった状態で、［図３］の如く固定棒や結束ベルトなどの固定具４により、アーチが広がらないようにして、モジュールの反発力を固定している状態を示したものである。【００１２】  曲げるために加えられた力により、モジュール全体が弓のようにアーチ形に曲がっているが、バネのように強い弾性のあるモジュールには、アーチ形に曲げている力に対して、元の平らな状態に戻ろうとする強い反発力が発生して、モジュール全体が張りつめた状態になることによって硬化するのである。【００１３】  この反発力により硬化する現象を利用することにより、薄い板状のモジュールであっても、風雪などの外圧にも耐えるほど強固にすることが出来たのであり、極めて単純な構造と少ない材料でも強い構造体に出来たのである。
【発明を実施するための形態】
【００１４】  このように強い弾性のあるモジュールを、アーチ形に曲げて張りつめた状態を維持したままでモジュールのアーチを固定するようにすれば、薄い板でも強固な構造に出来ることから、アルミ枠などの補強材は必要としないのである。
【００１５】  このように薄くて簡単な構造であっても、モジュールに必要とされる外圧に耐える構造的な強さを備えることが出来るものであり、構造が単純で構造部材も少ないことから、少ない材料と最小限の加工と手間で、外圧に耐える強固なモジュールやアレイを作ることが出来るのである。
【００１６】  このように薄いモジュールであり構造が極めて単純なことから、モジュールの製作コストが大幅に下がり、安価なモジュールが可能なのである。
【発明の効果】
【００１７】  本発明によりモジュールにするための材料や工程を大きく減らすことが出来るので、軽量で低価格の太陽光発電設備が実現できる。低価格を実現することにより、短い年月で投下資金を回収出来ることから、セルの急速な性能向上に合わせて、短い年月での買い替えも容易になるのである。
【００１８】  また、低価格であることから短い年月で投下資金を回収出来るのと、軽量であり建造物への負担が減ることから、耐用年数の少ない古い住宅や古い工場の屋根など、設置できる範囲が大きく広がるものである。
【図面の簡単な説明】
【００１９】
【図１】は、弓と矢で、弓の硬化現象を説明するためのものである。
【図２】（図３）（図６）は、斜視図である。
【図４】は、平面図である。
【図５】は、側面の一部を拡大した側面図である。  （図４）（図５）では、６はセルであり、５はモジュールの骨格となる構造体であって、強い弾性を有する薄い板である。
【図６】は、強い弾性のあるモジュール３を複数枚設置してアレイとした状態である。
【発明を実施するための形態】
【００２０】  以下、本発明の実施の形態を［図２］［図３］［図４］［図５］［図６］に基づいて説明する。
【００２１】  ［図４］［図５］は、構造材である強い弾性を有する薄い板５に、フィルムタイプの太陽光発電セル６が接合されている状態を示すものであるが、伸縮性のある接着剤の使用など、接合方法に工夫を凝らせば異なるタイプの太陽光発電セルにも対応できるものである。
【００２２】  ［図３］は、強い弾性のあるモジュール３に曲げる力を加えてアーチ形になっているものであり、裏面を固定具４により固定しているものである。［図２］も同様に曲げる力を加えて裏面を固定しているのである。
【００２３】  固定具４はモジュールをアーチ形の状態で架台に取り付けて固定した後に取り外すもので、固定具を取り外した後は、モジュールのアーチは架台によってアーチ形に固定されることになる。よってモジュールの強い弾性による反発力による硬化現象は架台によって固定されるのである。
【００２４】  強い弾性のあるモジュール３をアーチ状に曲げるには、設置現場ではテコの原理を利用することになるが、モジュール１枚の面積が極めて大きい場合は、油圧機器や締め具などの機器を使用して、モジュールの骨格となる強い弾性を有する薄い板をアーチ形に曲げて架台に固定することになる。この場合太陽光発電セルはアーチ形が出来上がってから現場で貼り付けるという方法を取るのも選択肢の一つである。
【符号の説明】
【００２５】１、２・・・弓と矢であり、反発力による硬化現象を説明するためのものである。
３・・・・・弾性のあるモジュールであって、［図４］の強い弾性のあるモジュールをアーチ形に曲げて、反発力が発生して硬化した状態で固定しているものである。
４・・・・・強い弾性のあるモジュールをアーチ形に曲げて、反発力が発生して硬化した状態で固定するための、固定棒や結束ベルトなどの固定具を示す。
５・・・・・モジュールの構造材で、強い弾性を有する薄い板である。［図５］の５は側面を拡大したものである。
６・・・・・太陽光発電セルであり［図５］の６は側面を拡大したものである。
【図１】
2014022709.tif 000003
【図２】
2014022709.tif 000004
【図３】
2014022709.tif 000005
【図４】
2014022709.tif 000006
【図５】
2014022709.tif 000007
【図６】
2014022709.tif 000008
【手続補正書】
【提出日】平成24年9月3日(2012.9.3)
【手続補正２】
【補正対象書類名】明細書
【補正対象項目名】００１９
【補正方法】変更
【補正の内容】
【００１９】
【図１】は弓と矢で、弓の硬化現象を説明するためのものである。
【図２】は受光面側の斜視図である。
【図３】は裏面の斜視図である。
【図４】は平面図であって、６はセルであり、５はモジュールの骨格となる構造体であって、強い弾性を有する薄い板である。
【図５】は側面の一部を拡大した側面図であって、６はセルであり、５はモジュールの骨格となる構造体であって、強い弾性を有する薄い板である。
【図６】は斜視図であって、強い弾性のあるモジュール３を複数枚設置してアレイとした状態である。
【手続補正３】
【補正対象書類名】明細書
【補正対象項目名】００２３
【補正方法】変更
【補正の内容】
【００２３】  固定具４はモジュールをアーチ形の状態で架台に取り付けて固定した後に取り外すもので、固定具を取り外した後は、モジュールのアーチは架台によってアーチ形に固定されることになる。よってモジュールの強い弾性による反発力による硬化現象は架台によって固定されるのである。ただし、架台の構造によっては固定具を取り外さない場合もある。